(57)【要約】      （修正有）【課題】クロスバーを特別な構造にしなくても傾斜した設置面に対応してどこにも無理な荷重がかからず良好な状態に設置することができるとともに、既設のクロスゲートにも適用することができる傾斜地対応のクロスゲートを提供する。【解決手段】クロスバーによって伸縮可能に組み立てられたゲート本体２を伸縮させることによって傾斜地の出入り口を開閉するようにしたクロスゲートにおいて、上記出入り口の支柱１の上下部に垂直に設けられた第１の軸ピン８と、上記ゲート本体２の両側端部の上下部に垂直に設けられた第２の軸ピンとを備え、上記上下の各第１の軸ピン８には略水平方向に長い連結金具１３を設け、この連結金具１３には第２の軸ピンに一体的に設けられたガイドブロックを連結金具１３の略長手方向に沿って摺動可能に連結した。【選択図】図２
0003152594.tif 000002
【実用新案登録請求の範囲】
【請求項１】
クロスバーによって伸縮可能に組み立てられたゲート本体を伸縮させることによって傾斜地の出入り口を開閉するようにしたクロスゲートにおいて、
上記出入り口の支柱の上下部に垂直に設けられた第１の軸ピンと、上記ゲート本体の両側端部の上下部に垂直に設けられた第２の軸ピンとを備え、
上記上下の各第１の軸ピンには略水平方向に長い連結金具を設け、この連結金具には第２の軸ピンに一体的に設けられたガイドブロックを連結金具の略長手方向に沿って摺動可能に連結した
ことを特徴とするクロスゲート。
【請求項２】
上記連結金具には、上記ゲート本体に向かって開口し、該ゲート本体の厚さよりも幅広の収納空間を有することを特徴とする、請求項1に記載のクロスゲート。
【請求項３】
上記ガイドブロックには上記連結金具に形成されたガイド溝に摺動自在に係合するガイドピンを一体的に設けたことを特徴とする、請求項１又は２に記載のクロスゲート。
【請求項４】
上記連結金具には、上記ガイドピンの移動をロックするためのロック手段を設けたことを特徴とする、請求項３に記載のクロスゲート。
【請求項５】
上記連結金具は第１の軸ピンに沿って摺動可能に設けられたことを特徴とする、請求項1又は２に記載のクロスゲート。
【請求項６】
上記第１の軸ピンは上記支柱１に設けられた角クランプに取り付けられ、上記第２の軸ピンは上記ゲート本体の端部に設けられたソケットに取り付けられたことを特徴とする、請求項１〜５のいずれかに記載のクロスゲート。
【考案の詳細な説明】
【技術分野】
【０００１】
この考案は、住宅や車庫、建設現場や資材置場の出入口等に設置される伸縮可能なゲート門扉に関するものであり、特にその設置面が傾斜している場合に適したクロスゲートに関する。
【背景技術】
【０００２】
従来、この種のクロスゲートを含む門扉としては、例えば特許文献１に示したようなものが知られている。この伸縮門扉は、複数の支柱部材と、各支柱部材間に枢着して架設されるクロスバー（桟部材）とを具備し、前記クロスバー同士の角度が変わることによって各支柱部材が相互に離間または接近して伸縮し、開閉されるようになっている。
【０００３】
ところが、出入り口等の設置面が門扉の吊り元側が高く、戸先側が低く傾斜していると、門扉の一端を引き出したときに上記端部が設置面から浮いてしまう。そのため、クロスバーやクロスバー同士の枢支部に無理な力が加わり、枢支部が壊れたり、クロスバーが変形したりするという問題がある。
【０００４】
そこで、前記各クロスバーの中間部に、これらクロスバーの同軸上で長さを変更できる長さ変更機構を設けたことにより、傾斜地に門扉を設置したとき、その傾斜角に対応し前記クロスバーの長さを変更させて前記支柱部材を鉛直姿勢に保持しかつ開閉動作するようにした技術が提案されている（特許文献１参照）。
【０００５】
そして、この従来の伸縮門扉では、長さ変更機構によって、平坦地、傾斜地に拘らず、常に門扉の支柱部材を鉛直な姿勢で設置し、その姿勢で開放させることができるとし、また長さ変更機構は、クロスバーと同軸上に収まりかつその同軸上で作動するので、傾斜地に設置した場合でも、余計なリンクがクロスバーからはみ出さないので、見映えの点でも至って良好であるとしている。
【先行技術文献】
【特許文献】
【０００６】
【特許文献１】特開２００８−１５６８８７号公報
【特許文献２】特開２００５−３３６８１６号公報
【考案の概要】
【考案が解決しようとする課題】
【０００７】
しかしながら、上記従来の伸縮門扉は、各クロスバーに同軸上で長さを変更する長さ変更機構を設けなければならなかったので、構造が複雑になるほか、１箇所でも長さ変更機構が故障すると他に無理な力が加わるので、他の長さ変更機構も故障したり、クロスバーが変形したりする可能性が高いという問題点を有していた。
【０００８】
また、傾斜地専用の機構となっているので、既に設置されているゲート本体はいったん除去して新機構のゲート本体と交換しなければならないという問題があった。
【０００９】
本考案は上記問題点を解消し、クロスバーを特別な構造にしなくても傾斜した設置面に対応してどこにも無理な荷重がかからず良好な状態に設置することができるとともに、既設のクロスゲートにも適用することができる傾斜地対応のクロスゲートを提供することをその課題とする。
【課題を解決するための手段】
【００１０】
上記課題を解決するため、請求項1に係る考案は、クロスバーによって伸縮可能に組み立てられたゲート本体を伸縮させることによって傾斜地の出入り口を開閉するようにしたクロスゲートにおいて、上記出入り口の支柱の上下部に垂直に設けられた第１の軸ピンと、上記ゲート本体の両側端部の上下部に垂直に設けられた第２の軸ピンとを備え、上記上下の各第１の軸ピンには略水平方向に長い連結金具を設け、この連結金具にはそれぞれ第２の軸ピンに一体的に設けられたガイドブロックを連結金具の略長手方向に沿って摺動可能に連結したことを特徴とする。
【００１１】
請求項２に係る考案は、請求項１において、上記連結金具に、上記ゲート本体に向かって開口し、該ゲート本体の厚さよりも幅広の収納空間を有することを特徴とする。
【００１２】
請求項３に係る考案は、請求項１又は２において、上記ガイドブロックには上記連結金具に形成されたガイド溝に摺動自在に係合するガイドピンを一体的に設けたことを特徴とする。
【００１３】
請求項４に係る考案は、請求項３において、上記連結金具には、上記ガイドピンの移動をロックするためのロック手段を設けたことを特徴とする。
【００１４】
請求項５に係る考案は、請求項１〜４のいずれかにおいて、上記連結金具は第１の軸ピンに沿って摺動可能に設けられたことを特徴とする。
【００１５】
請求項６に係る考案は、請求項１〜５のいずれかにおいて、上記第１の軸ピンは上記支柱に設けられた角クランプに取り付けられ、上記第２の軸ピンは上記ゲート本体の端部に設けられたソケットに取り付けられたことを特徴とする。
【考案の効果】
【００１６】
請求項１に係る考案によれば、出入り口の設置面が傾斜地であるときは、支柱は垂直に設けられているのに対し、ゲート本体は斜めになるので、ゲート本体の上下部のうち一方は支柱と同じ距離に保持されるが、他方は支柱から引き離される。このため、引き離される方ではガイドブロックが連結金具の略長手方向に沿って摺動し、ゲート本体は傾斜地の勾配に対応して傾いた状態で安定する。このため、ゲート本体を構成するクロスバーの一部に負荷が集中するということはない。したがって、クロスバーを特別な構造にしなくても傾斜した設置面に対応してどこにも無理な荷重がかからず良好な状態に設置することができる。
【００１７】
請求項２に係る考案によれば、連結金具には、ゲート本体に向かって開口し、該ゲート本体の厚さよりも幅広の収納空間が形成されているから、第２の軸ピンを略水平方向に摺動させるときにゲート本体を飲み込むようにして摺動させることができる。
【００１８】
請求項３に係る考案によれば、ガイドブロックには上記連結金具に略水平方向に形成されたガイド溝に摺動自在に係合するガイドピンを一体的に設けたから、第２の軸ピンの摺動を安定にガイドすることができる。
【００１９】
請求項４に係る考案によれば、連結金具には、上記ガイドピンの移動をロックするためのロック手段を設けたから、例えば入口を開放したときにガイドピンの移動が規制されるので、ゲート本体が支柱から勝手に離れるのを防止することができる。
【００２０】
請求項５に係る考案によれば、連結金具は第１の軸ピンに沿って摺動可能に設けられているから、ガイドピンが上下にも移動しながら連結金具のガイド溝に沿って摺動する場合、ガイド溝を広くしなくてもよいので、ガイドピンがガイド溝内を自由に動くことがないので、ガイドが安定する。
【００２１】
請求項６に係る考案によれば、第１の軸ピンは上記支柱に設けられた角クランプに取り付けられ、上記第２の軸ピンは上記ゲート本体の端部に設けられたソケットに取り付けられている。一般には、クロスゲートは第１の軸ピンを角クランプに取り付け、第２の軸ピンをソケットに取り付けられる場合が多いので、上記クロスゲートを平坦地にも設置できる。
【図面の簡単な説明】
【００２２】
【図１】（ａ）（ｂ）は本発明に係るクロスゲートを平坦地に設置した場合と傾斜地に設置した場合の全体の正面図。
【図２】図１（ｂ）の要部の拡大図。
【図３】上記クロスゲートが傾斜した場合の上部の要部の拡大図。
【図４】上記クロスゲートが傾斜した場合の下部の要部の拡大図。
【図５】上記クロスゲートの上部と下部の連結金具の連結態様説明図
【図６】（ａ）（ｂ）はそれぞれ連結金具の正面図と平面図。
【図７】上記クロスゲートによる閉じ状態の正面図。
【考案を実施するための形態】
【００２３】
図１（ａ）（ｂ）は本考案に係るクロスゲートの一実施形態を示すもので、平坦地に設置した場合と傾斜地に設置した場合を示す。同図において符号１は支柱を示す。支柱１は工場等の敷地の出入り口の両側に設けられている。支柱１の内側にはゲート本体２が開閉自在に配置されている。ゲート本体２は複数のクロスバー３と縦桟４とによって伸縮可能に組み立てられているもので、伸長時には上記出入り口を閉じ、収縮時には入り口を開くように構成されている。また、収縮時にはさらに支柱１のまわりに回動して上記出入り口を最大限まで開放することができるようになっている。
【００２４】
すなわち、ゲート本体２は複数の縦桟４に複数のクロスバー３を交差させてなり、クロスバー３の角度と縦桟４間の距離を変えることにより伸縮できるように構成されている。なお、縦桟４間に目隠しパネル５が折畳み展開可能に配設されている場合もある。
【００２５】
図２〜図５に詳しく示されるように、上記出入り口の支柱１の上下部には角クランプ７が取り付けられ、角クランプ７には第１の軸ピン８が垂直に設けられている。また、ゲート本体２の上下部には第２の軸ピン９が設けられている。第２の軸ピン９はそれぞれゲート本体２の上下のソケット６に嵌合固定されている（図６（ｂ）参照）。ソケット６はゲート本体２の両側端部の縦桟４に固定されている。したがって、ソケット６の上部は上方に、下部は下方に開口している。
【００２６】
第２の軸ピン９は第１の軸ピン８と同径で、第２の軸ピン９には固定金具１２が固定され、さらに固定金具１２にはガイドブロック１０が一体的に設けられている。ガイドブロック１０にはガイドピン１１が貫通されるようになっている。
【００２７】
第１の軸ピン８と第２の軸ピン９のガイドブロック１０とは略水平方向に長い連結金具１３を介して連結されている。主に図６に示されるように、連結金具１３はＵ字形の金具本体１３ａと金具本体１３ａの先端に設けられた嵌合筒１４とによって構成され、金具本体１３ａの先端側の上下には両側板を繋ぐブリッジ板１５が固定され、ブリッジ板１５の中央にはロックボルト１６（ロック手段）が螺合されるようになっている。図５に示されるように、上部の連結金具１３のブリッジ板１５は両側板１７の上部に、下部の連結金具１３のブリッジ板１５は両側板１７の下部に設けられている。また、両側板１７にはガイド溝１８がやや傾斜して形成されている。ガイド溝１８の傾斜方向は上下の連結金具１３で逆になっている。嵌合筒１４は第１の軸ピン８を回動かつ上下に摺動自在に嵌合可能に形成されている。
【００２８】
ところで、連結金具１３の両側板１７間には収納空間Ｓが形成されている。この収納空間Ｓは、縦桟４やソケット６を含むゲート本体２に向かって開口するとともに、ゲート本体２の厚さよりも幅広に形成されている。このため、ゲート本体２は連結金具１３の両側板１７の間に収納されるように構成されている。
【００２９】
なお、第２の軸ピン９のガイドブロック１０は連結金具１３の両側板１７の内側をスライド可能な大きさに形成され、またガイドピン１１は連結金具１３のガイド溝１８に沿って摺動可能な大きさに形成されている。
【００３０】
連結金具１３の一端の嵌合筒１４には第１の軸ピン８が嵌合され、また第２の軸ピン９のガイドブロック１０は連結金具１３の両側板１７の内側に配置され、ガイドピン１１が両側板１７の外側からガイド溝１８を挿通し、ガイドブロック１０を貫通している。ガイドピン１１の一端には頭部１９が形成され、他端には抜け止めが設けられている。
【００３１】
上記構成によれば、出入り口の設置面が傾斜地であるときは、図１（ｂ）〜図５に示されるように、支柱１は垂直に設けられているのに対し、ゲート本体２は斜めになるので、左下の部分は支柱１と同じ距離に保持されるが、図２の左上の部分は支柱１から引き離される。このため、ゲート本体２側に設けられた第２の軸ピン９のガイドピン１１が連結金具１３のガイド溝１８に沿って略水平方向に摺動し、連結金具１３がゲート本体２を飲み込むような状態になる。ゲート本体２は傾斜地の勾配に対応して傾いた状態で安定する。このため、ゲート本体２を構成するクロスバー３の一部に負荷が集中するということはない。したがって、クロスバー３を特別な構造にしなくても傾斜した設置面に対応してどこにも無理な荷重がかからず良好な状態に設置することができる。なお、ガイドピン１１がガイド溝１８に沿って移動するとき、ガイドピン１１は円弧運動をするが、これに応じて連結金具１３は第１の軸ピン８に沿って上下方向に移動する。
【００３２】
なお、ゲート本体２の図２の左下の部分では、図４及び図５に示されるように、ロックボルト１６を回し込み、その先端がガイドピン１１の内側に係合するようにする。これにより、ガイドピン１１はロックボルト１６に規制され、ガイド溝１８に沿って移動することが防止される。
【００３３】
上記の状態では、ゲート本体２は傾斜地の勾配に対応して傾き、クロスバー３のどこにも無理な荷重がかからない。したがって、クロスゲートを閉鎖するときは、図７に示すように、ゲート本体２を伸長し、最後にその右上の部分と右下の部分の角クランプ７を支柱１に取り付けると閉鎖作業が完了する。
【００３４】
したがって、クロスバー３を特別な構造にしなくても傾斜した設置面に対応してどこにも無理な荷重がかからず良好な状態に設置することができる。
【００３５】
なお、第１の軸ピン８と第２の軸ピン９は同径であり、一般に、クロスゲートは、クロスバー３によって伸縮可能に組み立てられたゲート本体２を工場等の敷地の出入り口に設けられた支柱１に取り付けるときは、支柱１に回動軸となる第１の軸ピン８を固定した角クランプ７を取り付ける一方、ゲート本体２の端部にはソケット６を取り付け、このソケット６に第２の軸ピン９を回動自在に嵌合することに構成されているものが多い。したがって、図１（ａ）に示されるように、上記連結態様は平坦地のクロスゲートにも適用することができる。この場合、上部の連結金具による連結態様は下部の連結金具による連結態様と同じ状態となる。
【００３６】
また、連結金具１３は第１の軸ピン８に沿って摺動可能に設けられているから、ガイドピン１１が上下にも移動しながら連結金具１３のガイド溝１８に沿って摺動する場合、ガイド溝１８を広くしなくてもよいので、ガイドピン１１がガイド溝１８内を自由に動くことがないので、ガイドが安定する。なお、ガイド溝１８の形状は限定されない。例えば、連結金具１３に対して傾斜してもよく、円弧状でもよく、あるいは上記実施形態に示されたように、平行溝ではなく一端よりも他端が幅広に形成されていてもよい。
【００３７】
なお、上述のように、支柱１に第１の軸ピン８を設け、ゲート本体２にソケット６を設けることに代え、支柱１にソケット６を設け、ゲート本体２に第１の軸ピン８を設ける構成としてもよい。
【００３８】
また、クロスゲートが両開き構成であっても、上述の形態と同様に閉鎖することができる。
【符号の説明】
【００３９】
１    支柱
２    ゲート本体
３    クロスバー
６    ソケット
８    第１の軸ピン
９    第２の軸ピン
１０  ガイドブロック
１１  ガイドピン
１３  連結金具
１７  側板
１８  ガイド溝
【図１】
0003152594.tif 000003
【図２】
0003152594.tif 000004
【図３】
0003152594.tif 000005
【図４】
0003152594.tif 000006
【図５】
0003152594.tif 000007
【図６】
0003152594.tif 000008
【図７】
0003152594.tif 000009